(57)【要約】【課題】振り出した粉状物をそのまま塗布すべき箇所に塗布でき、携帯性の向上も十分に図れるキャップ付き容器を提供する。【解決手段】粉状物６１が収容された粉状物収容部１を有し、この粉状物収容部１内から粉状物６１を振り出すための振出孔２ａが前端部２に形成され、この前端部２を覆うキャップ４が取り付けられたキャップ付き容器であって、この容器の前端部２とキャップ４の内部との間には隙間６２が形成されており、前端部２にはキャップ４の内部に接触する毛状の塗布具２ｂが設けられており、キャップ４を取り付けたまま隙間６２に粉状物６１を振り出すことで塗布具２ｂに粉状物６１を保持させるキャップ付き容器である。【選択図】  図１
2005007019.tif 000002
【特許請求の範囲】
【請求項１】
粉状物が収容された粉状物収容部を有し、この粉状物収容部内から粉状物を振り出すための振出孔が前端部に形成され、この前端部を覆うキャップが取り付けられたキャップ付き容器であって、
前記容器の前端部と前記キャップの内部との間には隙間が形成されており、
前記前端部から前側に突出して設けられ、前記キャップの内部に接触する塗布具が設けられており、
前記キャップを取り付けたまま前記隙間に粉状物を振り出すことで前記塗布具に粉状物を保持させることを特徴とするキャップ付き容器。
【請求項２】
前記粉状物収容部の後側に衝撃伝達部をはさんでおもり収容部を有しており、
前記おもり収容部に振出動作により前記衝撃伝達部に衝撃を付与するためのおもりが移動自在に収容されており、
前記衝撃伝達部が、付与された衝撃を前記粉状物収容部側に伝達することで前記振出孔から前記粉状物を吐き出させることを特徴とする請求項１に記載のキャップ付き容器。
【請求項３】
前記おもり収容部の後側に衝撃伝達部をはさんで請求項１に記載のキャップ付き容器と同一のキャップ付き容器を前後逆にして有していることを特徴とする請求項２に記載のキャップ付き容器。
【発明の詳細な説明】
【０００１】
【発明の属する技術分野】
本発明は、化粧品としてのルースパウダー等の粉状物を収容するとともに収容された粉状物をそのまま塗布すべき箇所に塗布する目的に用いられるキャップ付き容器に関する。
【０００２】
【従来の技術】
従来のキャップ付き容器としては、例えばルースパウダーが収容された収容室を有し、この収容室内からルースパウダーを振り出すための振出孔が前端部に形成され、この前端部を覆うキャップが取り付けられ、容器の前端部とキャップの内部との間に隙間が形成されており、所望量のルースパウダーをパフに振り出すことを可能としたものが開示されている（例えば、特許文献１参照）。
【０００３】
【特許文献１】
特開２００２−３６０１３３７号公報
【０００４】
【発明が解決しようとする課題】
ところで、近年、化粧品等の使い勝手や携帯性を重視する消費者ニーズにより、従来のキャップ付き容器に対しては、別体として用意されるパフを媒体としないでも、振り出したルースパウダーをそのまま化粧すべき箇所に塗布し得ることが要請されている。
また、従来のキャップ付き容器では、ルースパウダーの塗布に際して、別体としてのパフを媒体として使用する必要がある以上、容器とは別個独立にパフを携帯する必要があり、持ち運びに不便であり、携帯性の向上を十分に図れない。
そこで、本発明の課題は、振り出した粉状物をそのまま塗布すべき箇所に塗布でき、携帯性の向上も十分に図れるキャップ付き容器を提供することにある。
【０００５】
【課題を解決するための手段】
上記課題を解決するため、本発明の請求項１に記載のキャップ付き容器は、粉状物が収容された粉状物収容部を有し、この粉状物収容部内から粉状物を振り出すための振出孔が前端部に形成され、この前端部を覆うキャップが取り付けられたキャップ付き容器であって、容器の前端部とキャップの内部との間には隙間が形成されており、前端部から前側に突出して設けられ、キャップの内部に接触する塗布具が設けられており、キャップを取り付けたまま隙間に粉状物を振り出すことで塗布具に粉状物を保持させることを特徴としている。
【０００６】
このようなキャップ付き容器によれば、容器の前端部とキャップの内部との間に隙間を確保し、かつ、この前端部にキャップの内部に接触する毛状の塗布具を設けたので、使用者がキャップを取り付けたまま隙間に粉状物を振り出すだけで塗布具に粉状物が保持されることになり、パフを媒介とすることなく、振り出した粉状物をそのまま塗布すべき箇所に塗布できることになる。
【０００７】
また、容器とは別個独立にパフを携帯しなくて良い分、持ち運びに便利であり、携帯性の向上も十分に図られることになる。
【０００８】
このような技術的手段において、振出孔において粉状物の目詰まりが生じないようにして、振り出した粉状物をそのまま塗布する機能を担保しようとする観点からすれば、粉状物収容部の後側に衝撃伝達部をはさんでおもり収容部を有しており、おもり収容部に振出動作により衝撃伝達部に衝撃を付与するためのおもりが移動自在に収容されており、衝撃伝達部が、付与された衝撃を粉状物収容部側に伝達することで振出孔から粉状物を吐き出させることが好ましい。
【０００９】
この場合において、使用者の振出動作が可及的に効率的に行われるようにして、振出動作に伴う使用者の負担を軽減しようとする観点からすれば、おもり収容部の後側に衝撃伝達部をはさんで請求項１に記載のキャップ付き容器と同一のキャップ付き容器を前後逆にして有していることが好ましい。
【００１０】
【発明の実施の形態】
以下、添付図面に基づいて本発明の実施の形態を詳細に説明する。
【００１１】
なお、ここでは、化粧品としてのルースパウダーを振り出す目的に用いる場合について説明するが、これに限られるものではなく、例えばその他の物品としての粉状物を振り出す目的に用いる場合でも、以下の説明が妥当する。
【００１２】
図１は本発明の実施の形態１に係るキャップ付き容器の全体構成を示す断面図、図２は同キャップ付き容器の部分構成を示す図（図２（ａ）は正面図、図２（ｂ）は断面図）である。
【００１３】
この実施の形態１において、キャップ付き容器は、化粧品としてのルースパウダー６１を収容するとともに収容されたルースパウダー６１をそのまま塗布すべき箇所に塗布する目的に用いられるものとして構成されている。
【００１４】
そして、このキャップ付き容器は、図１及び図２（ｂ）に示すように、粉状物収容部１と、前端部２と、おもり収容部３と、衝撃伝達部４と、キャップ５とを備えたものとして構成されている。
【００１５】
以下、これらの各構成要素についてさらに詳細に説明する。
【００１６】
（１）粉状物収容部３１
粉状物収容部３１は、図１及び図２（ｂ）に示すように、衝撃伝達部４をはさんでおもり収容部３の前に位置するようにして設けられている。
【００１７】
この粉状物収容部３１は、これらの図に示すように、粉状物としてのルースパウダー６１を収容する役割を果たすものとして構成されている。
【００１８】
具体的には、粉状物収容部３１は、図１及び図２（ｂ）に示すように、筒状のスリーブ１１と、スリーブ１１の後端部に対して連結される筒状のスリーブホルダー１２とによって形成されている。
【００１９】
このスリーブホルダー１２は、これらの図に示すように、粉状物収容部３１の後端を形成する底部１２ｂを有しており、この底部１２ｂによって後記する衝撃伝達部４が形成されている。
【００２０】
（２）前端部２
前端部２は、図１及び図２（ｂ）に示すように、この実施の形態１に係るキャップ付き容器の前端部２としての役割を果たすものとして構成されている。
【００２１】
具体的には、前端部２は、これらの図に示すように、スリーブ１１と、スリーブホルダー１２の前側１２ａとによって形成されており、キャップ５が取り付けられる部分としての役割を果たす。
【００２２】
そして、この前端部２には、これらの図に示すように、粉状物収容部３１内からルースパウダー６１を振り出すための振出孔２ａが形成されている。
【００２３】
この振出孔２ａとしては、図２（ａ）に示すように、前端部２に複数の孔を間欠的に形成してなるものが用いられており、具体的には、使用者のニーズに適合的である大きさ・個数及び間隔に設定されている。
【００２４】
もちろん、振出孔２ａとしては、これに限られるものではなく、その形態・寸法の別を問わず、粒径・吸油量等のルースパウダー６１の性状や後記する毛状の塗布具２ｂへの影響などを勘案して適宜選定して差し支えない。すなわち、振出孔２ａとして、例えばメッシュ形態のものなども用いることができる。
【００２５】
また、図１及び図２（ｂ）に示すように、容器の前端部２とキャップ５の内部との間に隙間６２が形成されており、この隙間６２が確保された状態で容器の前端部２にキャップ５の内部であるスポンジ５２ｃの後端部に接触するようにして毛状の塗布具２ｂが設けられている。換言すれば、毛状の塗布具２ｂは、容器の前端部２とキャップ５の内部との間に隙間６２が確保されることでキャップ５の内部によって潰されることがなく、ルースパウダー６１の保持に支障を来さないようにして容器の前端部２に設けられている。
【００２６】
すなわち、このような隙間６２及び毛状の塗布具２ｂによれば、使用者がキャップ５を取り付けたまま隙間６２にルースパウダー６１を振り出すだけでルースパウダー６１が毛状の塗布具２ｂによって保持されることになっており、これにより、使用者は、振り出したルースパウダー６１であって毛状の塗布具２ｂによって保持されているものをそのまま塗布すべき箇所に塗布できるようになっている。
【００２７】
そして、この毛状の塗布具２ｂとしては、植毛状の繊維材料からなる塗布具２ｂが用いられており、具体的には、使用者のニーズに適合的である長さ寸法・本数及び間隔に設定されている。
【００２８】
ここで、塗布具２ｂとしては、振り出したルースパウダー６１を保持し得るものであればよく、形態及び寸法や製造方法の別を問わず、粒径・吸油量等のルースパウダー６１の性状や使用者のニーズなどに応じて適宜選定して差し支えない。すなわち、塗布具２ｂとして、例えば添毛状の繊維材料からなる塗布具２ｂの他、網目状の編織物、鉱物粒子又は合成樹脂粒子からなる塗布具２ｂなどの毛状のものの他、スポンジなどの多孔質体のものも用いることができる。
【００２９】
（３）おもり収容部３
おもり収容部３は、図１及び図２（ｂ）に示すように、衝撃伝達部４をはさんで粉状物収容部３１の後に位置するようにして設けられている。
【００３０】
おもり収容部３は、これらの図に示すように、おもりとしての可動ボール６３を前後方向に移動自在に収容する役割を果たすものとして構成されている。
【００３１】
ここで、この可動ボール６３は、使用者によって振出動作が行われることにより衝撃伝達部４に衝撃を付与するために用いられる。
【００３２】
このようなおもりとしては、使用者が振出動作を行うことでに衝撃を付与し得るものであれば、その形状・材料・形態・寸法の別や個数を問わず、予想される目詰まりの程度や使用者のニーズに応じて適宜選定して差し支えない。すなわち、おもりとして、例えば粒状物や液状物なども用いることができる。
【００３３】
なお、本体３１の内部のうち、おもり収容部３の前端部２に対応する部位には、内側に突出する突出部３１ｄたるリブ３１ｃが周方向に沿って設けられており、これにより、使用者が振出動作を行う場合等、おもり収容部３に収容されている可動ボール６３がおもり収容部３外に脱落するような事態が有効に回避されるようになっている。
【００３４】
具体的には、おもり収容部３は、これらの図に示すように、スリーブホルダー１２の有する底部１２ｂと、スリーブホルダー１２の後側を覆うように連結される筒状の本体３１の後側３１ａとによって形成されている。
【００３５】
なお、本体３１は、これらの図に示すように、おもり収容部３の後端を形成する底部３１ｂを有しており、この底部３１ｂによって可動ボール６３の後方向への移動が規制されている。これにより、使用者は、この底部３１ｂによって可動ボール６３を保持しながら振出動作を行うことが可能となっている。
【００３６】
（４）衝撃伝達部４
衝撃伝達部４は、図１及び図２（ｂ）に示すように、粉状物収容部３１と、おもり収容部３との間にはさまれるようにして設けられている。
【００３７】
具体的には、衝撃伝達部４は、これらの図に示すように、スリーブホルダー１２の有する底部１２ｂによって形成されている。
【００３８】
衝撃伝達部４は、可動ボール６３の前方向への移動を止める、つまり、付与された衝撃を粉状物収容部３１側に伝達することで振出孔２ａからルースパウダー６１を吐き出させる役割を果たすものとして構成されている。
【００３９】
すなわち、このような衝撃伝達部４によれば、可動ボール６３による衝撃を用いることで振出孔２ａから強制的にルースパウダー６１を吐き出させることが可能となっており、これにより、振出孔２ａにおいてルースパウダー６１の目詰まりが生じないことになっている。その結果、使用者にとって振り出したルースパウダー６１をそのまま塗布する機能が担保されることになっている。
【００４０】
なお、衝撃伝達部４の中央部には、後側３１ａに突出する突出部３１ｄが設けられており、これにより、可動ボール６３による衝撃の粉状物収容部３１側への伝達が効率的に行われるようになっている。
【００４１】
（５）キャップ５
キャップ５は、図１に示すように、前端部２を覆うようにして取り付けられている。
【００４２】
ここで、キャップ５は、同図に示すように、キャップ５の内部と容器の前端部２との間に隙間６２が形成されるようにしてこの前端部２に取り付けられている。
【００４３】
これにより、使用者がキャップ５を取り付けたまま隙間６２にルースパウダー６１を振り出すだけでルースパウダー６１が塗布具２ｂに保持されることになっており、その結果、使用者は、キャップ５を外すことで振り出したルースパウダー６１をそのまま塗布すべき箇所に塗布できるようになっている。
【００４４】
具体的には、キャップ５は、同図に示すように、外側キャップ５１と、内側キャップ５２と、コイルバネ５３とからなっている。
【００４５】
外側キャップ５１は、同図に示すように、前端に頂部５１ａが形成され、内側キャップ５２を収容する前側部５１ｂと、前側部５１ｂの後側３１ａに連続する後側部５１ｃであって容器の前端部２に取り付けられるものとからなっている。
【００４６】
一方、内側キャップ５２は、同図に示すように、前後方向に摺動し得るようにして外側キャップ５１内に収容されており、具体的には、隔壁をはさんで前側を形成する筒状の前側部５２ａと、前側部５２ａの後側を形成するとともに後側に向けて開口する筒状の後側部５２ｂと、後側部５２ｂ内に収容される弾性部材としてのスポンジ５２ｃとからなっている。
【００４７】
ここで、同図に示すように、前側部５２ａに対して後側部５２ｂが大きい外径寸法に設定されており、このような後側部５２ｂが外側キャップ５１内を前後方向に摺動するようになっている。
【００４８】
そして、同図に示すように、内側キャップ５２の外部には、前側部５２ａの外周と、後側部５２ｂの外周との段差部５２ｄが形成されており、内側キャップ５２の段差部５２ｄから外側キャップ５１の頂部５１ａまでの区間においては、前側部５２ａの外周と外側キャップ５１の内周との間に隙間６４が形成されている。
【００４９】
同図に示すように、この隙間６４において、コイルバネ５３が内側キャップ５２の段差部５２ｄと外側キャップ５１の頂部５１ａとの間に挟み付けられている。
【００５０】
つまり、このコイルバネ５３は、弾性部材としての役割を果たすものとして構成されている。具体的には、このようなコイルバネ５３によって内側キャップ５２を容器の前端部２へ付勢することが可能となっており、これにより、毛状の塗布具２ｂをキャップ５の内部に確実に接触させることが可能となっている。
【００５１】
それゆえ、コイルバネ５３に代えて、弾性復帰力を発揮し得るよう樹脂製筒の適宜箇所に周方向に沿ってスリットを入れてなる樹脂製バネなども用いることができる。
【００５２】
なお、コイルバネ５３などの機械力によってキャップ５の内部を容器の前端部２に付勢させなくても、単にキャップ５を容器の前端部２に取り付けることでことも可能であり、これによっても、毛状の塗布具２ｂをキャップ５の内部に確実に接触させることが可能である。つまり、コイルバネ５３は、本発明の成立にとって、任意の技術的要素となっている。
【００５３】
上記したように、このようなキャップ付き容器によれば、容器の前端部２とキャップ５の内部との間に隙間６２を確保し、しかも、この前端部２にキャップ５の内部に接触する毛状の塗布具２ｂを設けているので、使用者がキャップ５を取り付けたまま隙間６２にルースパウダー６１を振り出すだけで塗布具２ｂにルースパウダー６１が保持されることになっている。
【００５４】
したがって、使用者は、パフを媒介とすることなく、キャップ５を外すだけで振り出したルースパウダー６１をそのまま塗布すべき箇所に塗布することが可能となっている。
【００５５】
また、このことは、同時に容器とは別個独立にパフを携帯しなくて良いということを意味するから、その分、持ち運びに便利であり、携帯性の向上も十分に図られることになっている。
【００５６】
◎実施の形態２
図６は本発明の実施の形態２に係るキャップ付き容器の全体構成を示す断面図である。なお、実施の形態１と同様な構成要素については実施の形態１と同様な符号を付してここではその詳細な説明を省略する。
【００５７】
この実施の形態２におけるキャップ付き容器は、同図に示すように、実施の形態１とほぼ同様であるが、実施の形態１の構成に加えて、おもり収容部３の後側３１ａに衝撃伝達部４をはさんで実施の形態１に係るキャップ付き容器と同一のキャップ付き容器を前後逆にして有している。
【００５８】
したがって、このようなキャップ付き容器によれば、実施の形態１に係るキャップ付き容器とほぼ同様な効果が得られることに加えて、使用者の振出動作が片側方向に対してだけでなく両側方向に対して無駄なく用いられることになっており、これにより、振出動作に伴う使用者の負担を十分に軽減することが可能となっている。
【００５９】
【発明の効果】
本発明に係るキャップ付き容器によれば、振り出した粉状物をそのまま塗布すべき箇所に塗布でき、携帯性の向上も十分に図られることになる。
【図面の簡単な説明】
【図１】本発明の実施の形態１に係るキャップ付き容器の全体構成を示す断面図である。
【図２】本発明の実施の形態１に係るキャップ付き容器の部分構成を示す図（図２（ａ）は正面図、図２（ｂ）は断面図）である。
【図３】本発明の実施の形態２に係るキャップ付き容器の全体構成を示す断面図である。
【符号の説明】
１  粉状物収容部
２  前端部
２ａ  振出孔
２ｂ  塗布具
３  収容部
４  衝撃伝達部
５  キャップ
１１  スリーブ
１２  スリーブホルダー
１２ａ  前側
１２ｂ  底部
３１  本体
３１ａ  後側
３１ｂ  底部
３１ｃ  リブ
３１ｄ  突出部
５１  外側キャップ
５１ａ  頂部
５１ｂ  前側部
５１ｃ  後側部
５２  内側キャップ
５２ａ  前側部
５２ｂ  後側部
５２ｃ  スポンジ
５２ｄ  段差部
５３  コイルバネ
６１  ルースパウダー
６２  隙間
６３  可動ボール
６４  隙間
【図１】
2005007019.tif 000003
【図２】
2005007019.tif 000004
【図３】
2005007019.tif 000005